Podtech/llm-jp-corpus-v4-ja_patent huggingface dataset:
(57)【要約】      （修正有）【課題】仕事を進める上での書類の入手元が明確になることにより、情報の重要度の差別化や処理の優先順位など書類管理を簡単で確実に行うことができるようにした日付印機能付スタンプ装置を提供する。【解決手段】日付印機能付スタンプ装置において、日付を印字するための貫通孔２周辺の印面１に、メール、郵便、ファックス表示を刻印されているスタンプ印面を有することを特徴とする。書類に日付とともに押印後、該当箇所に手書きで丸印を書き込むことで書類の入所元情報を記録できる。【選択図】図１
0003185357.tif 000002
【実用新案登録請求の範囲】
【請求項１】
日付印機能付スタンプ装置において、日付を印字するための貫通孔周辺の印面に、メール印、郵便印、ファックス印表示などの機能印面を刻印されているスタンプ印面を有することを特徴とする日付印機能付スタンプ装置。
【考案の詳細な説明】
【技術分野】
【０００１】  本考案は、日付印機能付スタンプ装置に関するものであり、スタンプを押印する書類の出所を簡単に記載できるように成したものである。
【背景技術】
【０００２】  従来、日付印として利用するスタンプ装置は、中央の貫通孔に回転式日付を、回転操作させながら受け取った日付を押印することにより、該書類に記載していた。この日付の周囲には所属部署が刻印されていたり、あるいは氏名が刻印されており、スタンプを押印することにより、所属や氏名を日付と同時に押印することにより、その機能は果たしていたが、近年多くの書類が手元に届くことがあり、書類そのものの情報源はメールの添付ファイルを印刷したものなのか、郵送によるものなのか、また手渡しによるものなのか、さらにはファクスによるものなのかの種別がわからないままであった。
印面を簡単に交換できることの提案である実用新案登録第３１１１６８２号考案（特許文献１）など、スタンプ装置そのものの提案は多くみられるものの印面による印影は一つの効果しか表わさないものであり、例えば受領済である印としてや、解決済の印しなどの一つの情報機能しかなく、複数の効果的機能を有する物の提案はなかった。
また、登録実用新案公報第３１４８４１８号公報（特許文献２）として、相手方に便利なように目的の意思表示をするとともに、目的達成の一助となる意思表示を併有することによって、例えば売掛金の回収効果向上のような主目的の達成を促進するゴム印を提供する提案がある。
この提案は、ゴム製の印面を印本体に具備して構成されたゴム印について、ゴム製の印面に少なくとも２つの領域を設定し、相手方に一定の行為を求める第１の文言の彫刻と、上記文言によってなされた行為に対応する第２の文言の彫刻とを、上記２つの領域にそれぞれ設けるものであり、目的を達する行為を相手方に求める第１の文言の彫刻とともに、その目的達成の一助となる意思表示である第２の文言の彫刻を併有することによって、例えば売掛金の回収効果向上のような主目的の達成を可能にするゴム印を提供することができる。また、本考案によれば、１個のゴム印に第１の文言の彫刻と第２の文言の彫刻を併記して、２個のゴム印の役割を果たすことができるとともに、それによって請求者と被請求者相互の信頼関係を傷付けることなく、目的を達成することに寄与し、さらに第１の文言と第２の文言を同一の印面に併記したので、１個のゴム印が２個又はそれ以上の個数のゴム印として機能するようになるもので、本考案のような書類の入手元を明確にするためのものではない。【０００３】
【特許文献１】登録実用新案公報  第３１１６８２号公報
【特許文献２】登録実用新案公報  第３１４８４１８号公報
【考案の開示】
【考案が解決しようとする課題】
【０００４】  本考案は、従来提案に鑑み案出されたものであり、構造が簡単で安価な複数の効果的機能を有するスタンプ印面を提供するためのものである。
【課題を解決するための手段】
【０００５】  本考案は、日付印機能付スタンプ装置において、日付を印字するための日付印面が位置するための貫通孔周辺の印面に、メール、郵便、ファックス表示からなる機能印面から成る印面を有することを特徴とする日付印機能付スタンプ装置である。
【考案を実施するための形態】
【０００６】  本考案の実施例を図面に従って説明すると図１に示すように印面１は、横方向長径６０ｍｍで、縦方向短径５０ｍｍの長円形状からなり、中央には日付を印字するための日付印面が位置するための貫通孔２が形成され、該貫通孔２には、従来公知の使用時に日付を示す印面の先端が面一となるように、出し入れ自在に形成され、日付を回転式に調整可能となした日付印面が望むように成してある。
【０００７】  また、印面１の貫通孔２の周辺には、複数の機能印面３を必要に応じて形成されており、本実施例では郵便印３ａ、メール印３ｂ、ファクス印３ｃ、ダウンロード印３ｄ、手渡し印３ｅの書類の入手元を示す機能印面３からなるものである。
【０００８】  印面１は、多孔質の朱肉を不要としたゴム製であっても朱肉スタンプにより押印するように成したものであってもよい。
【０００９】  機能印面は例示した郵便印３ａ、メール印３ｂ、ファクス印３ｃ、ダウンロード印３ｄ、手渡し印３ｅのうち複数個であればよく、実施に際しては、書類に日付とともに押印後、該当箇所に手書きで丸印４を書き込むことで書類の入所元情報を印字するものであ。
【考案の効果】
【００１０】  本考案の日付印機能付スタンプ装置は、仕事を進める上での書類の入手元が明確になることにより、情報の重要度の差別化や処理の優先順位など書類管理を簡単で確実に行うことができるようになるものである。
【図面の簡単な説明】
【００１１】
【図１】本考案の日付印機能付スタンプ装置の印面の正面図である。
【図１】本考案の実施例を示す正面図である。
【符号の説明】１・・・印面
２・・・貫通孔
３・・・機能印面
３ａ・・郵便印
３ｂ・・メール印
３ｃ・・ファクス印
３ｄ・・ダウンロード印
３ｅ・・手渡し印
【図１】
0003185357.tif 000003
【図２】
0003185357.tif 000004
【手続補正書】
【提出日】平成25年6月19日(2013.6.19)
【手続補正１】
【補正対象書類名】明細書
【補正対象項目名】００１１
【補正方法】変更
【補正の内容】
【００１１】
【図１】本考案の日付印機能付スタンプ装置の印面の正面図である。
【図２】本考案の実施例を示す正面図である。
【符号の説明】
１・・・印面
２・・・貫通孔
３・・・機能印面
３ａ・・郵便印
３ｂ・・メール印
３ｃ・・ファクス印
３ｄ・・ダウンロード印
３ｅ・・手渡し印
(57)【要約】      （修正有）【課題】住宅などへ安価で効果的な減震装置を提供する。【解決手段】住宅などの柱や梁２などの中間点にばね３によって錘１を浮かせおいて、錘にはたらく慣性の法則を活用して地震の揺れに対し減震効果をあげる仕組みであり、錘１を周囲の柱や梁２から張ったばね３によって引っ張り浮いた状態にする。【選択図】図１
0003185353.tif 000002
【実用新案登録請求の範囲】
【請求項１】
柱や梁の中間点にばねによって錘を浮かせおいて、錘にはたらく慣性の法則を活用して減震効果をあげる仕組み
【考案の詳細な説明】
【考案の概要】
【考案が解決しようとする課題】
【０００１】
安価で効果的な住宅などの減震装置の提供
【課題を解決するための手段】
【０００２】
住宅等の柱間や柱梁間などに鉄塊などの錘をばねによって四方八方や天地左右から張って浮いた状態をつくり、慣性の法則による減震効果をもたらした仕組みの考案
【図面の簡単な説明】
【０００３】
【図１】錘１を周囲の柱や梁2から張ったばね３によって引っ張り浮いた状態にする
【図１】
0003185353.tif 000003
【手続補正書】
【提出日】平成25年6月12日(2013.6.12)
【手続補正１】
【補正対象書類名】実用新案登録請求の範囲
【補正対象項目名】全文
【補正方法】変更
【補正の内容】
【実用新案登録請求の範囲】
【請求項１】
柱や梁に接続される複数のばねと、前記ばねによって浮かせられ
る錘とからなる減震装置
(57)【要約】      （修正有）【課題】空気の力で衝突時、衝撃を緩和する自動車用エアーバンパーを提供する。【解決手段】自動車の前後のバンパー、自動車用エアーバンパーは、プラスチィク、又は鉄板で形成し、その内部に空気・エアーを入れた自動車用バンパー。【選択図】図１
0003185368.tif 000002
【実用新案登録請求の範囲】
【請求項１】
自動車の前後のバンパー、自動車用エアーバンパーは、プラスチィク、又は鉄板で形成し、その内部に空気・エアーを入れたことを特徴とする自動車用バンパー。
【考案の詳細な説明】
【技術分野】
【０００１】本考案は、プラスチィク、鉄板からなる自動車のバンパーに関する。
【背景技術】
【０００２】空気の力で衝突時、衝撃を緩和する。
【考案の概要】
【考案が解決しようとする課題】
【０００３】自動車のバンパーの安全装置。
【課題を解決するための手段】
【０００４】自動車のバンパーに空気を入れる。
【考案の効果】
【０００５】空気を入れた自動車用エアーバンパーを取り付けることで衝突時、衝撃を緩和する。
【図面の簡単な説明】
【０００６】
【図１】本考案の自動車用エアーバンパー。
【考案を実施するための形態】
【０００７】自動車の前後のバンパー、自動車用エアーバンパーは、プラスチィク、又は鉄板で形成し、その内部に空気・エアーを入れたことを特徴とする自動車用バンパー。
【図１】
0003185368.tif 000003
(57)【要約】      （修正有）【課題】イヤホンを、いつでも、どこでも便利に使用できるようにした首掛けイヤホン収納容器を提供する。【解決手段】柔らかい合成樹脂の中空チューブ１に３つ又はそれ以上の丸い穴を開けその穴にそって切れ目を入れ、チューブ両端に止め具４を取りつける。市販の耳差し込み部５のイヤホンコード７を３つの丸い孔から切れ目に沿って入れれば、首に掛けて便利に使うことができる。【選択図】図３
0003185367.tif 000002
【実用新案登録請求の範囲】
【請求項１】
柔らかい合成樹脂の中空チューブに所定間隔をおいて少なくとも３つ孔を設け、各孔間に中空チューブの長手方向に沿って切れ目を設け、中空チューブの両端に留め具を取り付けたことを特徴とする首掛けイヤホン収納容器。
【請求項２】
前記中空チューブの材質がシリコン樹脂、ゴム、軟質ポリエチレンであることを特徴とする請求項１に記載の首掛けイヤホン収納容器。
【請求項３】
前記中空チューブの両端に設けられた留め具が、マグネットクラスブ、フック状金具、ひき輪等から選ばれることを特徴とする請求項１又は２に記載の首掛けイヤホン収納容器。
【考案の詳細な説明】
【技術分野】
【０００１】  本考案はイヤホンを、いつでも、どこでも使用に便利なように設計した首掛けイヤホン収納容器に関する。
【背景技術】
【０００２】  従来のイヤホン収納容器は繊維性の筒状ホルダーにファスナーを設け、スライダー４つとホルダー内部に固定用のマジックテープ（登録商標）を設けステレオイヤホンのコードを収納するホルダーが提案されている。【０００３】  しかしながら、この提案はホルダーが大きく厚くなり首に巻きにくく、外観上も良くない。又価格的にも高くなるという欠点があった。
【先行技術文献】
【０００４】
【特許文献１】  特許公開２００７−１５１０５４
【考案の概要】
【考案が解決しようとする課題】
【０００５】  本考案は、以上のような従来の欠点に鑑み、イヤホンをいつでも、どこでも便利な使用できる首掛けイヤホン収納容器を提供することにある。
【課題を解決するための手段】
【０００６】  本考案の首掛けイヤホン収納容器は、柔らかい合成樹脂の中空チューブに所定間隔をおいて少なくとも３つ孔を設け、各孔間に中空チューブの長手方向に沿って切れ目を設け、中空チューブの両端に留め具を取り付けたことを特徴とする。【０００７】  また、本考案の首掛けイヤホン収納容器は、中空チューブの材質がシリコン樹脂、ゴム、軟質ポリエチレンであることを特徴とし、中空チューブの両端に設けられた留め具が、マグネットクラスブ、フック状金具、ひき輪等から選ばれることを特徴とする。
【考案の効果】
【０００８】  本考案の首掛けイヤホン収納容器は、イヤホンコードを中空チューブ内に収納でき首から掛けられることができるため、イヤホンを使用時にはイヤホンコードをスマートに不便なく使用でき、イヤホンを使用しない時でも聞き取り部分は耳のそばに位置し、聞き取る場合直ぐに耳に差し込める利便性を有している。【０００９】  また、携帯電話やスマートフオンのヘビーユーザーは手にもつて相手と会話すると例えば運転やパソコン操作等が出来ず非常に不便を感じていることが、両手が自由に使えるので不便さを解消できる。【００１０】  そして、イヤホン使用者は使用目的により複数の形状のイヤホンを所有している。この場合本発明の首掛けイヤホン収納容器は取り付け、取り外しが容易なので短時間にイヤホンを取り替えることができる。【００１１】  首に取り付ける用具としてマグネットクラスブ等を採用すれば、首への取り付け、取り外しが容易である。
【図面の簡単な説明】
【００１２】
【図１】  本考案の首掛けイヤホン収納容器の実施例を示す図である。
【図２】  本考案の首掛けイヤホン収納容器にイヤホンを収納したときの図である。
【図３】  本考案の首掛けイヤホン収納容器にイヤホンを収納し、留め具を装着したときの図である。
【考案を実施するための形態】
【００１３】  以下本考案を実施の形態を図に基づいて説明する。
【００１４】  図１において、本考案の首掛けイヤホン収納容器は、柔らかい合成樹脂の中空チューブ１に少なくとも３つの孔３、３、３を所定間隔で開け、その各孔３間に中空チューブ１の長手方向に沿って切れ目２を入れ、中空チューブ１の両端に留め具４、４を取り付けた構成である。この中空チューブ１の材質はシリコン樹脂、ゴム、軟質ポリエチレン等である。
【００１５】  この丸い孔３を設けることによりイヤホンコード７を挿入し易くし、外し易くすると同時に切れ目２の累延をなくす効果がある。
【００１６】  多くの場合耳差し込み部５の耳に差し込む形状は多種多様であるがコードの部分は画一的であるので、どの種類のイヤホンにも対応ができるものである。
【００１７】  図２に示すように、市販の耳差し込み部５のイヤホンコード７を３つの丸い孔から切れ目２の沿って入れた首掛けイヤホン収納容器である。
【００１８】  図３は、イヤホンが挿入され、更に中空チューブ１の両端に設けられた留め具４、４で止めて、輪形状になった状態を示すものである。この実施例では留め具４はマグネットクラスブであるが、フック状金具、ひき輪等であってもよい。
【００１９】  なお、中空チューブ１に設けられる孔３の数を必要に応じて、多数形成してもよく、その場合は、イヤホンコード７の長さに応じて適当な孔３より入れることができ、更に便利なものとなる。
【産業上の利用可能性】
【００２０】  本考案はイヤホン製造、音響製品製造産業等で利用される。
【符号の説明】１  中空チューブ
２  切れ目
３  孔
４  留め具
５  耳差し込み部
６  プラグ
７  イヤホンコード
【図１】
0003185367.tif 000003
【図２】
0003185367.tif 000004
【図３】
0003185367.tif 000005
(57)【要約】      （修正有）【課題】一人で安全かつ容易に移動ができる車付縁台を提供する。【解決手段】縁台本体１に、２本の脚３’と、車５付き車軸金物４を固定した２本の脚３の、計４本の脚を取り付け、縁台本体の上部に天板２を張り付けた。縁台を移動する際は、車を固定しない脚の方側を持ち上げて動かすことにより、安全かつ容易に、移動が可能となる。【選択図】図１
0003185363.tif 000002
【実用新案登録請求の範囲】
【請求項１】
縁台の脚４本の内の、片側２本の脚に車を固定取り付けた縁台。
【考案の詳細な説明】
【技術分野】
【０００１】  本考案は、一人で縁台を移動させるのが困難な事を解決するために、縁台の２本の脚に車を取り付け、移動をスムーズにするものである。
【背景技術】
【０００２】  縁台の従来品で、脚に車を取り付けたものはなかった。
【考案の概要】
【考案が解決しようとする課題】
【０００３】  一般的な形態の縁台は、４本の脚に支えられているもので、移動をさせる際に一人では困難であるという問題点がある。
【課題を解決するための手段】
【０００４】  本考案は、一人で移動させることが困難であるという課題を解決するために、縁台を支える４本の脚の内、２本の脚に車を固定取り付けしたことで、前述の問題点を解決しようとしたものである。
【考案の効果】
【０００５】  上述のように本考案は、縁台の４本の脚の内、２本の脚に車を固定取り付けしたことで、一人で、安全に移動作業ができる
【考案の実施するための形態】
【０００６】  図１は本考案の縁台正面を示しており、縁台本体１に、２本の脚３’と、車５付き車軸金物４を固定した２本の脚３の、計４本の脚を取り付け、縁台本体１の上部に天板２を張り付けた縁台である。
【０００７】  縁台を移動する際は、車５付き車軸金物４を固定しない脚３’の方側を持ち上げて動かすことにより、安全かつ容易に、移動が可能となる。
【図面の簡単な説明】
【０００８】
【図１】  本考案の正面図である。
【図２】  本考案の側面図である。
【図３】  本考案の平面図である。
【符号の説明】
【０００９】  １  縁台本体
２  本体上部天板
３  車軸金物付き脚
３’脚
４  車軸金物
５  車
【図１】
0003185363.tif 000003
【図２】
0003185363.tif 000004
【図３】
0003185363.tif 000005
(57)【要約】      （修正有）【課題】水資源を有効に活用できる貯水池の水圧を利用した水力循環発電装置を提供する。【解決手段】モーター駆動のポンプ１２により第二貯水池１４の水を空洞７を通して第一貯水池に流入させ、第一貯水池の側部に設けた入口弁２と水圧管３を通り水を循環させ、水圧で水車４と発電機５を回す。流れた水は第二貯水池に流れる。上記の工程をくりかえして発電する。【選択図】図１
0003185342.tif 000002
【実用新案登録請求の範囲】
【請求項１】
前記貯水池の下部に取り付けたモーターが駆動して水圧を利用しながらポンプで第二貯水池の水を空洞の水を第一貯水池に流入させ、水を循環させ入口弁から水圧管を通り水車を回し連結して発電機を回し発電そして水は第２貯水池に流入。
水圧を利用しながらポンプで水を循環させる装置を備えた発電装置
【考案の詳細な説明】
【技術分野】
【０００１】この考案は水を循環させる方法と水圧を利用して水車を回転させ発電に利用するに関するものである。
【背景技術】
【０００２】従来、水力発電はあったが水力発電に利用する水資源かかぎられていた。
【先行技術文献】
【特許文献】
【０００３】
【特許文献１】特開２０１３−０２４２３４エネルギーを得る方法効率的でない
【考案の概要】
【考案が解決しようとする課題】本案はその資源不足を解決しクリーンで安全なエネルギー提供するために解決しようとするものである
【課題を解決するための手段】
【０００４】いまその構成を説明すると
１、水である
２、は入口弁である
３は水圧管を設ける
４は水車である
５はタービンである
６は第二貯水池である
水車から排出された水をいったん貯水するところ
７は空洞
８はモーター室
９はモーター
モーターを駆動してポンプを駆動するのに使用
１０は円盤
１１はシャフト
１２はポンプ  往復ポンプで
水を第二貯水池から第一貯水池に移動させる
水車、発電機室、モーター室、作業通路は省略しています。【０００５】また解決手段は図を追って
１２の往復ポンプが６の第２貯水池の水を７の空洞を通って１２の往復ポンプに流入し
そして水を１の貯水池に流入させ
２の入口弁を水が流入し３の水圧管を通り
水圧で４の水車を回す  水車で発電機回す連結して流れた水は第２貯水池に流れる上記の工程をくりかえす。
【考案の効果】
【０００６】だから資源が少なく利用少ない
それで次源多くクリーンで安全なエネルギーを提供出来る。
【実施例】
【０００７】ポンプで水の循環を実施して見たならポンプから水の流れる方向か真上ではダメで真横か斜めが良い事が分かった
水圧を利用しながらピストン運動させると効果的であることが分かった
水中でポンプを駆動させると能率が上る
発電機室、水車室、モーター室、作業通路は省略
【考案実施の形態】
【０００８】１は貯水池の水です
２は入口弁で水の流入口
３は水圧管で水に水圧をかけるため出来るだけ長く、高いほうが良い
４は水車です  水圧管で水圧かけて水車回す
５はタービンを水車で回す  ７は第二貯水池である
６は空洞で第二貯水池からの水の流入するところ
８はモーター駆動してポンプを駆動させる
１１は往復ポンプ  第二貯水池から第一貯水池に水を循環させるために使用
水を循環させてエネルギーを得る方法
【図面の簡単な説明】
【０００９】
【図１】正面切断面図
【図２】平面図
【図３】測面図
【符号の説明】
【００１０】１、第一貯水池（水）
２、入口弁
３、水圧管
４、水車
５、発電機
６、第２貯水池（水）
７、空洞
８、モーター室
９、モーター
１０、円盤
１１、シャフト
１２、往復ポンプ
１３、第一貯水池カベ面
１４、第二貯水池カベ面
【図１】
0003185342.tif 000003
【図２】
0003185342.tif 000004
【図３】
0003185342.tif 000005
【手続補正書】
【提出日】平成25年5月23日(2013.5.23)
【手続補正１】
【補正対象書類名】実用新案登録請求の範囲
【補正対象項目名】全文
【補正方法】変更
【補正の内容】
【実用新案登録請求の範囲】
【請求項１】
第一貯水池と前記第一貯水池の側部に設けられた入口弁と、前記入口弁に接続された水圧管と、
前記水圧管と連結した第二貯水池と、前記水圧管において、
前記入口弁を前記第二貯水池の間に設けられた水車と、前記水車に接続された発電機と、を備えた発電装置であって、前記第二貯水池の水を、モーター駆動するポンプにより前記第一貯水池に流入させ、循環した水により水車を回すことで発電機を回すことを特徴とする発電装置。
(57)【要約】      （修正有）【課題】掴み易く落下を防ぎ、長い時間少ない力で持つことが出来ることにより、手、指の疲労、下部を支える指の骨の曲がりを軽減するスマートフォンなど携帯情報端末機とカバーを提供する。【解決手段】形状が直線のスマートフォンなど携帯情報端末機とカバーにおいて、側面四辺の形状を波型にする。窪みに指を置いて持つことで指の設置面が広くなり摩擦抵抗が大きく、滑り難く落下を防ぐことができる。長い時間持つ際に摩擦抵抗が大きい為、少ない力で持つことができ、手、指の疲労、下部を支える指の骨の曲がりが軽減される。【選択図】図１
0003185345.tif 000002
【実用新案登録請求の範囲】
【請求項１】
スマートフォンなど携帯情報端末機とカバーの形を波型にする。
【考案の詳細な説明】
【技術分野】
【０００１】本考案はスマートフォンなど携帯情報端末機とカバーの形状に関するものである。
【背景技術】
【０００２】従来のスマートフォンなど携帯情報端末機とカバーの形状はほとんどの物が四角形で辺が直線である。
【考案の概要】
【考案が解決しようとする課題】
【０００３】従来のスマートフォンなど携帯情報端末機とカバーの形状が直線の為、ポケットやバックから取り出す際に、滑り、掴み損ねて落下する事が有る。インターネット、ゲームなどで長い時間持つと手、指の疲労が大きく、下部を支えている小指の骨が曲がるなどの症状が発生している。
【課題を解決するための手段】
【０００４】そこで、本考案は以上の課題を解決すべく、ポケットやバックから取り出す際の掴み損ねによる落下を防ぎ、インターネット、ゲームなど長い時間持つ際、手、指の疲労、下部を支える指の骨が曲がることを軽減するスマートフォンなど携帯情報端末機とカバーの形状を提供することを目的とした。【０００５】本考案は形状が直線のスマートフォンなど携帯情報端末機とカバーにおいて、形状を波型に形成したことを特徴とする。
【考案の効果】
【０００６】本考案に係るスマートフォンなど携帯情報端末機とカバーの形状を波型にすることにより、窪みに指を置いて持つことで指の設置面が広くなり摩擦抵抗が大きく、滑り難く落下を防ぐことができる。長い時間持つ際に、窪みに指を置いて持つことで、指の設置面が広くなり摩擦抵抗が大きく少ない力で持つことができ、手、指の疲労、下部を支える指の骨の曲がり等が軽減される。波型による装飾デザイン性も向上する。
【図面の簡単な説明】
【０００７】
【図１】本考案に係るスマートフォンなど携帯情報端末機とカバーの概略斜視図である。
【図２】本考案に係るスマートフォンなど携帯情報端末機とカバーの実施形態を示す概略斜視図である。
【考案を実施するための形態】
【０００８】以下に本考案のスマートフォンなど携帯情報端末機とカバーの実施例を図１に基づいて説明する。本考案のスマートフォンなど携帯情報端末機とカバーの図１の波型になっている窪みの部分に指を置いて持つことで、図２の指の設置面が広くなることにより摩擦抵抗が大きく滑り難く、少ない力で持つことができる。指の置く位置は右利き左利きなど個人差が有り、波型の窪みに収まりの良い位置に指を置くこととする。
【図１】
0003185345.tif 000003
【図２】
0003185345.tif 000004
【手続補正書】
【提出日】平成25年5月26日(2013.5.26)
【手続補正１】
【補正対象書類名】実用新案登録請求の範囲
【補正対象項目名】請求項１
【補正方法】変更
【補正の内容】
【請求項１】
スマートフォンなど携帯情報端末機とカバーの側面四辺の形を波型にすることを特徴とするスマートフォンなど携帯情報端末機とカバーの形状。
【手続補正２】
【補正対象書類名】明細書
【補正対象項目名】０００５
【補正方法】変更
【補正の内容】
【０００５】本考案は形状が直線のスマートフォンなど携帯情報端末機とカバーにおいて、側面四辺の形状を波型にすることを特徴とするスマートフォンなど携帯情報端末機とカバー。
(57)【要約】      （修正有）【課題】簡単に脱着できるワッペン・アクセサリー・名札を提供する。【解決手段】クリップや安全ピンに磁石３を固着し、ワッペン・アクセサリー・名札全体を鉄製にするか、または背面に鉄板２を貼り付けることにより、簡単に脱着できるようにした。【選択図】図１
0003185344.tif 000002
【実用新案登録請求の範囲】
【請求項１】
鉄製の本体や背面に鉄板を貼り付けたワッペン・アクセサリー・名札などを、クリップや安全ピンに装着した磁石で固定し、簡単に脱着できる方式。
【考案の詳細な説明】
【技術分野】
【０００１】  本考案は、磁力を利用して、ワッペン・アクセサリー・名札などの本体を簡単に取り換える方法に関するものである。
【背景技術】
【０００２】  従来のワッペン・アクセサリー・名札などの本体は、クリップや安全ピンに固定するか、両面テープやマジックテーで固定する方法が一般的である。【０００３】  磁力を利用してワッペン・アクセサリー・名札などを固定する方法として、登録実用新案第３１６６５７２号、および、登録実用新案第３１８０５２６号が提案されている。
【考案の開示】
【考案が解決しようとする課題】
【０００４】  従来の考案は、２個の磁石を使用するため、価格および生産効率に問題がある。
【課題を解決するための手段】
【０００５】  本考案は、クリップや安全ピン側に１個の磁石を固定し、本体側の一部あるいは全体を鉄製として、低価格および高い生産効率を目指すものである。
【考案の効果】
【０００６】  価格は従来の約半分、生産効率は倍以上が期待される。
【図面の簡単な説明】
【０００７】
【図１】  本体１を鉄製とするか、あるいは背面に鉄板２を貼り付け、クリップ４あるいは安全ピン側に磁石３を取り付けることにより、本体が簡単に脱着できる。
【考案を実施するための形態】
【０００８】  本考案の実施の形態は、クリップに磁石を埋め込む方法、安全ピンに磁石を取り付ける方法、両者が一体となったものに磁石を装着する方法などが考えられる。
【符号の説明】
【０００９】  （１）本体（ワッペン・アクセサリー・名札など）
（２）鉄板
（３）磁石
（４）クリップ
（５）安全ピン
【図１】
0003185344.tif 000003
【手続補正書】
【提出日】平成25年5月22日(2013.5.22)
【手続補正１】
【補正対象書類名】実用新案登録請求の範囲
【補正対象項目名】全文
【補正方法】変更
【補正の内容】
【実用新案登録請求の範囲】
【請求項１】
本体と、クリップまたは安全ピンとからなるワッペン又はアクセサリー又は名札であって、前記本体が鉄製であるか、又は前記本体の背面に鉄板が貼り付けられており、前記クリップ又は安全ピンには磁石が取り付けられており、前記鉄製の本体又は前記鉄板が、前記磁石に着脱可能であることを特徴とする磁力式ワッペン又はアクセサリー又は名札。
(57)【要約】      （修正有）【課題】梱包箱の付属品収納に係る特別な形成を行うことなく、付属品の出し入れを容易に行う事が可能な梱包箱を提供する。【解決手段】梱包する製品１２および製品に係る付属品１１を同一の箱内に同梱する梱包箱は製品を出し入れするための製品用蓋の形成面と異なる面に形成された製品用蓋より狭い面積の付属品用蓋部１０，１３，１４を有すると共に、付属品用蓋部の面のいずれかの端部において、端部と係合する面に蓋を止める蓋止め構造２２，２０，２１が形成されている。【選択図】図１
0003185302.tif 000002
【実用新案登録請求の範囲】
【請求項１】
梱包する製品および前記製品に係る付属品を同一の箱内に同梱する梱包箱において、
前記製品を出し入れするための製品用蓋が形成されたと異なる面に形成された、付属品を出し入れするための前記製品用蓋より狭い面積の付属品用蓋部と、を有し、
前記付属品用蓋部は、当該付属品用蓋部の面のいずれかの端部に形成されており、前記端部と係合する面に蓋を止める蓋止め構造を形成することを特徴とする梱包箱の構造。
【考案の詳細な説明】
【技術分野】
【０００１】
本考案は梱包対象製品である電話機および付属品を同梱する為の梱包箱の改良に関する。
【背景技術】
【０００２】
従来の梱包箱において、付属品を交換する必要がある場合に、付属品を収納する付属品収納部および付属品のみを出し入れする為の蓋を設けることで、梱包を解いて上部の全面を利用した蓋を開けずに付属品を出し入れすることが可能な梱包箱がある（例えば特許文献１）。
【０００３】
しかしながら、特許文献１に記載の梱包箱は、付属品の大きさに合わせ付属品収納部として、パッキング材等で枠組みを形成する必要があり、さらに梱包箱に従来の取り出し口とは別に新たな蓋を形成しなければならず、新たな部材が必要になりコストが上がってしまうという欠点があった。
【先行技術文献】
【特許文献】
【０００４】
【特許文献１】実開平７―００６１２３号公報
【考案の概要】
【考案が解決しようとする課題】
【０００５】
そこで、本考案の課題は新たな部材、または梱包箱の付属品収納に係る特別な形成を行うことなく、付属品の出し入れを容易に行う事が可能な梱包箱を提供することにある。
【課題を解決するための手段】
【０００６】
本考案の梱包箱は、梱包する製品および前記製品に係る付属品を同一の箱内に同梱する梱包箱において、前記製品を出し入れするための製品用蓋が形成されたと異なる面に形成された、付属品を出し入れするための前記製品用蓋より狭い面積の付属品用蓋部と、を有し、前記付属品用蓋部は、当該付属品用蓋部の面のいずれかの端部に形成されており、前記端部と係合する面に蓋を止める蓋止め構造を形成することを特徴とする。
【考案の効果】
【０００７】
本考案によれば、新たな部材、または梱包箱の付属品収納に係る特別な形成を行うことなく、付属品の出し入れを容易に行う事が可能な梱包箱を提供できる。
【図面の簡単な説明】
【０００８】
【図１】本考案による梱包箱を裏側から見た場合を示した斜視図である。
【図２】本考案による梱包箱の蓋を開く際の状態を示した斜視図である。
【図３】本考案による梱包箱の左部の蓋または右部の蓋のみを開く際の状態を示した斜視図である。
【考案を実施するための形態】
【実施例】
【０００９】
以下に添付図を参照して本考案の実施例について説明する。本実施例においては、付属品が梱包対象製品の下に同梱されており、梱包箱の裏側から付属品を取り出すものとする。
図１は本考案による梱包箱を裏側から見た場合を示した斜視図である。図１において、梱包箱１の裏面に蓋１０、および蓋止め２２を設け、梱包箱１の内部には梱包対象製品１２および梱包対象製品１２の付属品１１が収納されている。さらに、蓋１０には左部の蓋１３および左部の蓋止め２０、右部の蓋１４および右部の蓋止め２１が設けられている。ここで、上記で説明した同様の構造を梱包箱の表側に設けてもよいものとする。
【００１０】
次に、図２は本考案による梱包箱１の蓋１０を開く際の状態を示した斜視図である。図２（ａ）は左部の蓋止め２０、右部の蓋止め２１、蓋止め２２を外した状態を示し、図２（ｂ）は蓋１０を開いた状態を示している。蓋１０を開ける場合は、差し込みＢ１６と差し込み溝Ｂの係合を外し、差し込みＡ１５と差し込み溝Ａ１７の係合を外す。また、同様に左部の蓋止め２０、右部の蓋止め２１を外すことで、図２（ｂ）の通り蓋１０が解放された状態となる。ここで、左部の蓋止め２０、右部の蓋止め２１、蓋止め２２は同一の構造を有するものであるため、説明は省略する。
【００１１】
次に、図３は本考案による梱包箱１の左部の蓋１３または右部の蓋１４のみを開く際の状態を示した斜視図である。図３（ａ）は左部の蓋１３が有する左部の蓋止め２０のみを外すことで左部の蓋１３を開閉する。図３（ｂ）は右部の蓋１４が有する右部の蓋止め２１のみを外すことで右部の蓋１４を開閉する。
【００１２】
上記で説明した通り、付属品１１が大きい物品である場合には、左部の蓋止め２０、右部の蓋止め２１、蓋止め２２をすべて外して蓋１０の開く事で取り出しを行い、また付属品１１が小さい物品である場合は、左部の蓋止め２０または右部の蓋止め２１を外して左部の蓋１３または右部の蓋１４のみを開き、取り出すことが可能である。
【００１３】
本考案の梱包箱１によれば、梱包対象製品１２とその付属品１１を収納する為に、通常有する表側の蓋の他に、上記付属品１１を出し入れする為の蓋１０を設けているため、付属品１１のみを交換しなければならない時においても、付属品１１を出し入れする為の蓋１０、もしくは左部の蓋１３または右部の蓋１４を開くことで、付属品１１を出し入れする事が出来る。そのため、梱包を解いて蓋を開けたり、梱包対象製品１２を一旦梱包箱１から出した後に付属品１１を取り出すことが無く、手間が省けて便利である。また、留め具を必要としないので梱包箱の生産性も向上する。
【符号の説明】
【００１４】
１・・・梱包箱
１０・・・蓋
１１・・・付属品
１２・・・梱包対象製品
１３・・・左部の蓋
１４・・・右部の蓋
１５・・・差し込みＡ
１６・・・差し込みＢ
１７・・・差し込み溝Ａ
１８・・・差し込み溝Ｂ
２０・・・左部の蓋止め
２１・・・右部の蓋止め
２２・・・蓋止め
【図１】
0003185302.tif 000003
【図２】
0003185302.tif 000004
【図３】
0003185302.tif 000005
(57)【要約】      （修正有）【課題】装飾性に優れたタイル装飾フラワースタンドを提供する。【解決手段】植木鉢Ｐを支持可能な鉢受け部材１をベース部材２の上部に載置して、これら鉢受け部材およびベース部材の外周表面に複数のタイル３を張り付けて被覆する。フラワースタンドを構成する鉢受け部材およびベース部材の外周表面に種々の色彩や形状のタイルを貼りつけて被覆したことによって、様々な模様を施すことができ、フラワースタンド自体にも装飾効果を付与することができ、観賞用植物の展示をより一層華やかにすることができる。【選択図】図２
0003185380.tif 000002
【実用新案登録請求の範囲】
【請求項１】
植木鉢を支持可能な鉢受け部材がベース部材の上部に載置されており、これら鉢受け部材およびベース部材の外周面に複数タイルが貼り付けられて被覆されていることを特徴とするタイル装飾フラワースタンド。
【考案の詳細な説明】
【技術分野】
【０００１】
本考案は、植木鉢を支持するフラワースタンドに関するものである。
【背景技術】
【０００２】
植木鉢を所定の高さで支持することによって、植木鉢に植えられた観賞用の花や植物を見栄え良く展示することができるフラワースタンドが知られている。（例えば、特許文献１参照）。
【０００３】
しかしながら、従来のフラワースタンドは、単に植木鉢を支持するだけの機能しかなく、没個性で外見上の装飾性に乏しいという問題があった。
【先行技術文献】
【特許文献】
【０００４】
【特許文献１】実用新案第３０７７７３５号公報
【考案の概要】
【考案が解決しようとする課題】
【０００５】
本考案は、従来のフラワースタンドに上記のような問題があったことに鑑みて為されたものであり、その目的とするところは、装飾性に優れたフラワースタンドを提供することにある。
【課題を解決するための手段】
【０００６】
本考案は、上記課題を解決するために、植木鉢を支持可能な鉢受け部材をベース部材の上部に載置して、これら鉢受け部材およびベース部材の外周表面に複数のタイルを張り付けて被覆するという技術的手段を採用した。
【考案の効果】
【０００７】
本考案は、フラワースタンドを構成する鉢受け部材およびベース部材の外周表面に種々の色彩や形状のタイルを張り付けて被覆したことによって、表面に様々な模様を施すことができ、フラワースタンド自体にも装飾効果を付与することができるので、観賞用植物の展示をより一層華やかにすることができる。
【０００８】
また、鉢受け部材およびベース部材を着脱自在の組み立て式に構成したことによって、部材を交換することにより高さや模様などを簡単に変更することができる。
【図面の簡単な説明】
【０００９】
【図１】本考案の実施形態のフラワースタンドを表す斜視図である。
【図２】本考案の実施形態のフラワースタンドの変形例１を表す斜視図である。
【図３】本考案の実施形態のフラワースタンドの変形例１の構造を表す説明断面図である。
【図４】本考案の実施形態のフラワースタンドの変形例２を表す斜視図である。
【考案を実施するための形態】
【００１０】
本考案の実施形態を図１から実施形態を図１から図４に基づいて説明する。符号１で指示するものは鉢受け部材であり、この鉢受け部材１は植木鉢Pを支持する部材である。また、符号２で指示するものはベース部材であり、このベース部材２は地面に置く土台であり、セメント等で成型することができる。
【００１１】
更にまた、符号３で指示するものはタイルであり、このタイル３は陶磁器やコンクリート、プラスチック、金属などの材料を採用することができ、適宜、ガラス繊維を混合させることができる。また、正方形や長方形、三角形などの多角形や、円形や楕円、異形などの任意形状および色彩のものを採用することができる。
【００１２】
次に、本考案のフラワースタンドの構成について説明する。まず、鉢受け部材１およびベース部材２とを着脱自在に連結する。本実施形態では、これら両部材を雄雌で嵌合連結できるものを採用するが、ネジ状に連結するものであってもよい。
【００１３】
そして、前記鉢受け部材１の外周面およびベース部材２の外周面に複数のタイル３を貼りつけて被覆する。本実施形態では、鉢受け部材１としてアルミニウム等の金属材料により成形した略半球形状のものを採用する（図１参照）。この際、変形しない剛性材料を使用することによって張り付けたタイル３の目地のひび割れや剥離を防止することができる。
【００１４】
また、本実施形態の変形例として、図２に示すように、ベース部材２の一部を筒体２Aとすることができる。この筒体２Aには、例えば、塩化ビニル製の管材（塩ビ管）を採用することができる。そして、この筒体２Aの外周表面にもタイル３を貼りつける。
【００１５】
なお、かかる変形例においても鉢受け部材１、ベース部材２および筒体２Aとを脱着自在に連結することができる（図３参照）。このように構成することにより、違う長さや違う模様のタイルを張り付けた筒体２Aと交換することができる。
【００１６】
本考案は、概ね上記のように構成されるが、図示の実施形態に限定されるものでは決してなく、「実用新案登録請求の範囲」の記載内において種々の変形が可能であって、例えば、鉢受け部材１は、内側に収納部を有する形状に限らず、図４に示すような板状のものであってもよく、その上に植木鉢Pを置くことができる。
【００１７】
また、鉢受け部材１やベース部材２は半球状に限らず、形状を変更することもでき、これら何れのものも本考案の技術的範囲に属する。
【符号の説明】
【００１８】
１      鉢受け部材
２      ベース部材
２A    筒体
３      タイル
P      植木鉢
【図１】
0003185380.tif 000003
【図２】
0003185380.tif 000004
【図３】
0003185380.tif 000005
【図４】
0003185380.tif 000006
(57)【要約】      （修正有）【課題】サーバラック内で使用されるブランクパネルの透明化及び取付時間の短縮化を実現することにより、保守性能等に貢献したブランクパネル・１Ｕを提供する。【解決手段】ブランクパネル材の重量を軽量化し、難燃性とするために、プラダン構造のポリカーボネート材１を用い、さらに、ラックへの取付部位にネジを使わずに磁気吸着手段２を用いた構造とすることにより、簡便な取付も可能となり、取付時間の短縮にも貢献出来る。【選択図】図１
0003185331.tif 000002
【実用新案登録請求の範囲】
【請求項１】
ブランクパネル‐１Ｕの主要材として透明ポリカーボネートプラダン構造材料の採用
【請求項２】
ブランクパネルのマグネット吸着取付方式の採用
【考案の詳細な説明】
【技術分野】
【０００１】この考案は、電算機室に設置されるサーバラック内で用いるブランクパネル‐１Ｕの材質と形状、及び取付構造に関する。
【背景技術】
【０００２】従来のサーバラック内で使用されるブランクパネル‐１Ｕは図２に示す様に金属やプラスチック（可燃性）の材質で、１枚板構造であり、取付にはネジを使う方式が標準的である。
【先行技術文献】
【実用新案文献】
【０００３】−−−−−−−−−−
【非実用新案文献】
【０００４】−−−−−−−−−−
【考案の概要】
【考案が解決しようとする課題】
【０００５】従来の金属製品ではブランクパネルの裏側が目視出来ず、又、透明プラスチック製品は可燃性の材質で問題が有る。【０００６】取付には専用のネジを用いる必要が有り手間が掛かります。
【課題を解決するための手段】
【０００７】以上の課題解決のために、第一考案は、難燃性で透明な材質を利用したことです。また、第二考案は、取付にはネジを使わずにマグネットでの吸着を利用した事を特徴とするブランクパネルである。
【考案の効果】
【０００８】第一考案、及び、第二考案により、透明性による目視的保守性能及び取付時の利便性を向上させる。
【図面の簡単な説明】
【図１】この考案の一実施形態を示す斜視図である。
【図２】従来技術を示す斜視図である。
【考案を実施するための形態】
【０００９】この考案の一実施形態を、図１に示す。
本考案の本体は市販のポリカーボネート材質のプラダン構造品であり、色はクリアー（透明）、重さは数グラムで軽量の弾力性を保有し、厚さが４ミリの板である。
【００１０】「実施形態の効果」従来品（図２）はラックへネジ止めにて取付を行う必要が有るが、考案の図１本体は軽量である事からマグネット吸着による取付が可能であり、取付に要する時間が１／１０以下に短縮される。
【符号の説明】
【００１１】図１［１，プラダンブランクパネル‐１Ｕ  ２，マグネットラバー（薄板）］
【図１】
0003185331.tif 000003
【図２】
0003185331.tif 000004
【手続補正書】
【提出日】平成25年5月15日(2013.5.15)
【手続補正２】
【補正対象書類名】明細書
【補正対象項目名】０００９
【補正方法】変更
【補正の内容】
【０００９】  この考案の一実施形態を、図１に示す。
本考案の本体は市販のポリカーボネート材質のプラダン構造品であり、色はクリアー（透明）、軽量で弾力性を保有し、厚さが４ミリの中空板である。
【手続補正３】
【補正対象書類名】実用新案登録請求の範囲
【補正対象項目名】全文
【補正方法】変更
【補正の内容】
【実用新案登録請求の範囲】
【請求項１】
主要材として透明ポリカーボネートプラダンを用いたことを特徴とするブランクパネル・１Ｕ。
【請求項２】
透明材質かつラックへの取付部位に磁気吸着手段を設けた請求項１記載のブランクパネル・１Ｕ。
(57)【要約】      （修正有）【課題】吹き出し口の紛失を防止するとともに、交換の手間を省く事が出来る携行圧力缶を提供する。【解決手段】圧力缶本体の吹き出し口１にオスネジを、圧力缶内部の内容物を外部に吹き出すための吹き出し口２にメスネジを切り、頭部には切り替えスイッチを設けることにより、吹き出し口２と吹き出し口１の接合が簡単かつ確実に行うことができ、内容物が噴出することも吹き出し口２を紛失することもなく、２種の吹き出し口ごとの付け替えも不要となる。【選択図】図２
0003185335.tif 000002
【実用新案登録請求の範囲】
【請求項１】
携行圧力缶の吹き出し口１にオスネジを、吹き出し口２にメスネジを切り、頭部には切り替えスイッチを設けたことを特徴とする携行圧力缶。
【請求項２】
前記携行圧力缶は、頭部に設けられた切り替え用部分がヤジロベエの形をしており、ねじ込み式で、吹き出し口１に接続され、切り替えスイッチにより、広範囲吹き出し口、極小範囲吹き出し口、および固定（噴出防止）位置に切り替えることが可能であることを特徴とする請求項１記載の携行圧力缶。
【考案の詳細な説明】
【技術分野】
【０００１】  この考案は、潤滑、塗装等に用いる携行圧力缶の吹き出し口の形状に関する。
【背景技術】
【０００２】  従来の潤滑、塗装等に用いる携行圧力缶の吹き出し口の形状は、図１に示すように、携行缶本体の吹き出し口１に吹き出し口２を取り付けて、吹き出し口を押し込み使用するよう構成されている。
【考案の概要】
【考案が解決しようとする課題】
【０００３】  しかしながら、以上の技術によれば、従来の吹き出し口２は、携行圧力缶の吹き出し口１から簡単に外れやすく、しかもその吹き出し口２は、小さく紛失しやすいという欠点があった。さらに使用目的により、吹き出し口２の極小範囲吹き出し口と広範囲吹き出し口を交換する必要があった。【０００４】  そこで、この考案は、吹き出し口２が使用中に簡単に外れてしまわないよう、また、非常に小さい吹き出し口２を紛失しないよう、吹き出し口１にオスネジを切り、メスネジを切った外付け吹き出し口２と固着させた製品を提供することを課題とする。
【課題を解決するための手段】
【０００５】  以上の課題を解決するために、第一考案は、この吹き出し口２は別のものと交換することも可能な携行圧力缶の吹き出し口である。
また、第二考案は、オスネジを切った吹き出し口１であることを特徴とする吹き出し口である。
【考案の効果】
【０００６】  第一考案、または第二考案によれば、吹き出し口２の紛失を防止するとともに、吹き出し口２の交換の手間を省く事が出来る。
【図面の簡単な説明】
【０００７】
【図１】この考案の従来技術と実施形態を示す正面図である。
【図２】この考案の一実施形態を示す正面図である。
【考案を実施するための形態】
【０００８】  この考案の一実施形態を、図１と図２に示す。
図１に示すように、携行圧力缶の吹き出し口１にオスネジが切られ、吹き出し口２にメスネジが切られている。吹き出し口２には極小範囲吹き出し口と広範囲吹き出し口がある。また、図２に示すように、携行圧力缶頭部の切り替えスイッチを中心としてフレキシブルパイプが左右対象に接続されている。フレキシブルパイプの先端に、極小範囲吹き出し口と広範囲吹き出し口がそれぞれ一つずつ装着されており、頭部の切り替えスイッチにより、極小範囲吹き出し口と広範囲吹き出し口の使い分けが可能となる。また、切り替えスイッチを左右に伸びるフレキシブルパイプに垂直方向に切り替えることにより、噴出を防止することができる。
【０００９】「実施形態の効果」
この実施形態によれば、頭部の切り替えスイッチにより、広範囲吹き出し口、極小範囲吹き出し口、および固定（吹き出し防止）位置に切り替えることが可能であり、吹き出し口２の紛失を防止できるとともに、吹き出し口２の交換の手間を省くことができる。
【符号の説明】
【００１０】１  携行圧力缶                    ２  フレキシブルパイプ
３  吹き出し口                    ４  広範囲吹き出し口
５  極小範囲吹き出し口            ６  切り替えスイッチ
５  メスネジ                      ６  オスネジ
【図１】
0003185335.tif 000003
【図２】
0003185335.tif 000004
【手続補正書】
【提出日】平成25年5月21日(2013.5.21)
【手続補正１】
【補正対象書類名】実用新案登録請求の範囲
【補正対象項目名】全文
【補正方法】変更
【補正の内容】
【実用新案登録請求の範囲】
【請求項１】
吹き出し口が設けられた携行圧力缶において、前記携行圧力缶は、前記吹き出し口に接続される切り替えスイッチと、前記切り替えスイッチに接続された２本のフレキシブルパイプと、前記フレキシブルパイプの一本に接続された広範囲吹き出し口と、前記フレキシブルパイプのもう一本に接続された極小範囲吹き出し口と、を備え、前記吹き出し口には、オスネジが切られており、前記切り替えスイッチの、前記吹き出し口に接続される部分には、メスネジが切られていることを特徴とする携行圧力缶。
【請求項２】
前記切り替えスイッチを、広範囲吹き出し口、極小範囲吹き出し口、及び噴出防止位置に切り替え可能としたことを特徴とする請求項１記載の携行圧力缶。
(57)【要約】      （修正有）【課題】複数枚の紙を連続して綴じることが容易にできるホッチキスを提供する。【解決手段】ホッチキスの圧接台２に指穴リング１を付け指穴リングの中に指を通して作業することによりホッチキスが手中に把握できるようにしたことを特徴とする。これにより、ホッチキスを、置いたり持ったりする手間が省け、連続して綴じることが容易に出来る。【選択図】図１
0003185340.tif 000002
【実用新案登録請求の範囲】
【請求項１】
ホッチキスの圧接台（２）に指穴リング（１）を付けたものである
【請求項２】
ホッチキスは針無しも該当する
【考案の詳細な説明】
【技術分野】
【０００１】本考案は，ホッチキスの圧接台に（２）指穴リング（１）を付けたものである
【背景技術】
【０００２】ホッチキスで連続して綴じるとき、ホッチキスを持ったまま紙を揃える作業が出来なかった
【考案の開示】
【考案が解決しようとする課題】
【０００３】複数枚の紙を連続して綴じるのに、紙を揃えるためそのつど、ホッチキスを手離す難題があった
この課題を解消するための考案で有る
【考案が解決しようとする手段】
【０００４】ホッチキスに付けた指穴リングに、指を入れてホッチキスを持つことにより、紙を揃えるとき、手を開ても、ホッチキスが、手の内に把握出来る様にした
【考案の効果】
【０００５】ホッチキスに取り付けた、指穴リングに、指をいれることで紙を揃える作業を行うとき、ホチッキスを手の内に把握でき、連続して綴じることが容意できる様にした
【考案の詳細な説明】
イ  この考案は、ホチッキスに指穴リングを付けたホッチキス
ロ  指穴リングの中に、指を通すとにより  作業するとき、手を開いてもホッチキスが、手の内に在る、
ハ  複数の紙を揃えて、閉じるとき、ホッチキスを、一旦手から放して、紙を揃え、ホッチキスを、再度持ち閉じていた。
ニ  リングに指を入れて手に把握することで、ホッチキスを、置いたり持ったりする手間が、省け、連続して綴じることが、容意に出来る。
【図面の簡単な説明】
【図１】本考案の側面図
【図２】本考案の裏面図
【符号の説明】１  指穴リング
２  圧接棒
３  圧接台
【図１】
0003185340.tif 000003
【図２】
0003185340.tif 000004
【手続補正書】
【提出日】平成25年5月25日(2013.5.25)
【手続補正１】
【補正対象書類名】実用新案登録請求の範囲
【補正対象項目名】全文
【補正方法】変更
【補正の内容】
【実用新案登録請求の範囲】
【請求項１】
圧接台に（２）指穴リング（１）を付けたことを特徴とするホッチキス。
【請求項２】
ホッチキスは針無しである請求項１に記載のホッチキス。